(57)【要約】【課題】ヒートポンプが除霜運転中であっても貯湯タンクの湯水を滅菌することができる給湯システムを提供する。【解決手段】貯湯タンク１０と、貯湯タンク１０の湯水の温度を検出する貯湯温度センサ３１と、タンク循環路１１を介して貯湯タンク１０の湯水を加熱するヒートポンプ９と、貯湯タンク１０からの湯水を加熱する燃焼給湯器３とを設ける。燃焼給湯器３の暖房回路３２に接続された加熱用水管３３を貯湯タンク１０の内部に設ける。貯湯タンク１０の湯水が滅菌要否判定温度未満である状態が滅菌要否判定時間以上継続したとき、ヒートポンプ９で貯湯タンク１０の湯水を加熱する第１の滅菌処理制御手段３４を設ける。貯湯タンク１０の湯水が滅菌要否判定温度未満である状態が滅菌要否判定時間以上継続し且つ外気温度が除霜処理判定温度以下であるとき、燃焼給湯器３の暖房回路３２により加熱用水管３３を介して貯湯タンク１０の湯水を加熱する第２の滅菌処理制御手段３５を設ける。【選択図】図１
2011208839.tif 000002
【特許請求の範囲】
【請求項１】
内部に湯水を貯える貯湯タンクと、
該貯湯タンクに接続されて該貯湯タンクに水を供給する給水管と、
前記貯湯タンクに接続されて該貯湯タンクの湯水を導出する出湯管と、
始端と終端とが前記貯湯タンクに接続されて前記貯湯タンクの湯水を循環させるタンク循環路と、
該タンク循環路を介して前記貯湯タンクの湯水を加熱するヒートポンプと、
前記貯湯タンクの湯水の温度を検出する貯湯温度センサと、
前記出湯管に接続された給湯回路を備えて該出湯管を流通する湯水をバーナにより加熱する燃焼給湯器と、
該燃焼給湯器に設けられてバーナにより加熱された暖房用水が循環する暖房回路と、
該暖房回路に接続され、前記貯湯タンクの内部に設けられて前記暖房回路の暖房用水との熱交換により該貯湯タンクの湯水を加熱する加熱用水管と、
屋外の気温を検出する外気温度センサと、
前記ヒートポンプへの着霜に際して該ヒートポンプによる貯湯タンクの湯水の加熱を停止し該ヒートポンプに除霜運転を指示する除霜処理制御手段と、
前記貯湯温度センサの検出温度が前記貯湯タンクの湯水内で雑菌が繁殖する温度を想定して設定された滅菌要否判定温度未満である状態が予め設定された滅菌要否判定時間以上継続したとき、前記ヒートポンプにより、前記貯湯タンクの湯水が滅菌される温度を想定して設定された滅菌温度以上となるように前記貯湯タンクの湯水の加熱を指示する第１の滅菌処理制御手段と、
前記貯湯温度センサの検出温度が前記滅菌要否判定温度未満である状態が予め設定された滅菌要否判定時間以上継続し且つ前記外気温度センサの検出温度が前記除霜処理制御手段による前記ヒートポンプの除霜運転が行われる外気温度を想定して設定された除霜処理判定温度以下であるとき、前記燃焼給湯器により加熱された暖房用水を暖房回路の前記加熱用水管に供給し、前記滅菌温度以上となるように前記貯湯タンクの湯水の加熱を指示する第２の滅菌処理制御手段とを備えることを特徴とする給湯システム。
【発明の詳細な説明】
【技術分野】
【０００１】
本発明は、貯湯タンクユニットに、瞬間加熱式の燃焼給湯器を接続した給湯システムに関する。
【背景技術】
【０００２】
従来より、貯湯タンクの湯水をヒートポンプにより加熱する貯湯タンクユニットに、瞬間加熱式の燃焼給湯器を接続した給湯システムが知られている（例えば、特許文献１参照）。
【０００３】
一般に、ヒートポンプは、圧縮機、水熱交換器（凝縮器）、膨張弁（減圧器）、及び空気熱交換器（蒸発器）を冷媒循環路で接続することにより構成される。冷媒循環路では、圧縮機から吐出した冷媒が水熱交換器に流通した後、開度調整可能な膨張弁を介して空気熱交換器に流通し、空気熱交換器により大気から給熱した後、圧縮機に吸入される。そして、水熱交換器は、貯湯タンクの上部及び下部に接続されたタンク循環路に接続されており、冷媒循環路の冷媒とタンク循環路の湯水との熱交換によりタンク循環路の湯水が加熱される。
【０００４】
この種の給湯システムにおいては、貯湯タンクに貯めた湯を用いて給湯を行う場合、貯湯タンクの湯の温度が低下した状態が継続したときに、貯湯タンクの湯中にレジオネラ菌等の雑菌が繁殖し易い状況となる。そこで、貯湯タンクの湯を深夜時間帯に高温まで沸き上げて湯を滅菌し、清浄な湯が供給されるようにした給湯システムが提案されている（例えば、特許文献２参照）。
【先行技術文献】
【特許文献】
【０００５】
【特許文献１】特開２０００−３２９４０１号公報
【特許文献２】特開２００３−１３０４５２号公報
【発明の概要】
【発明が解決しようとする課題】
【０００６】
ところで、冬期において外気温が低いと、ヒートポンプの蒸発器に着霜することがあり、蒸発器が着霜状態にあると大気からの給熱が不十分となって、貯湯タンクの湯を高温まで沸き上げることができなくなる。
【０００７】
そこで、ヒートポンプにおいては、例えば、外気温度又は空気熱交換器における冷媒温度が極度に低い場合に、四方弁等により圧縮機の出口を空気熱交換器側に切換えて冷媒の流動方向を反転させ、圧縮機による高温冷媒を空気熱交換器へ送ることにより空気熱交換器を加熱して除霜する除霜運転が行われる。
【０００８】
しかし、空気熱交換器を加熱する除霜運転中は、水熱交換器に低温冷媒が流れてタンク循環路の湯水の温度が低下するのを防止するためにタンク循環路の湯水の循環を停止させておかなければならず、貯湯タンクの湯水の沸き上げ運転を行うことができない。そして、冬期における深夜時間帯には蒸発器に着霜する場合が多く、深夜時間帯に滅菌のための沸き上げ運転をしようとしても、ヒートポンプにおける除霜運転が行われるために、貯湯タンクの湯の滅菌が行えない。
【０００９】
本発明は上記背景を鑑みてなされたものであり、ヒートポンプが除霜運転中であっても貯湯タンクの湯水を滅菌することができる給湯システムを提供することを目的とする。
【課題を解決するための手段】
【００１０】
本発明は、内部に湯水を貯える貯湯タンクと、該貯湯タンクに接続されて該貯湯タンクに水を供給する給水管と、前記貯湯タンクに接続されて該貯湯タンクの湯水を導出する出湯管と、始端と終端とが前記貯湯タンクに接続されて前記貯湯タンクの湯水を循環させるタンク循環路と、該タンク循環路を介して前記貯湯タンクの湯水を加熱するヒートポンプと、前記貯湯タンクの湯水の温度を検出する貯湯温度センサと、前記出湯管に接続された給湯回路を備えて該出湯管を流通する湯水をバーナにより加熱する燃焼給湯器と、該燃焼給湯器に設けられてバーナにより加熱された暖房用水が循環する暖房回路と、該暖房回路に接続され、前記貯湯タンクの内部に設けられて前記暖房回路の暖房用水との熱交換により該貯湯タンクの湯水を加熱する加熱用水管と、屋外の気温を検出する外気温度センサと、前記ヒートポンプへの着霜に際して該ヒートポンプによる貯湯タンクの湯水の加熱を停止し該ヒートポンプに除霜運転を指示する除霜処理制御手段と、前記貯湯温度センサの検出温度が前記貯湯タンクの湯水内で雑菌が繁殖する温度を想定して設定された滅菌要否判定温度未満である状態が予め設定された滅菌要否判定時間以上継続したとき、前記ヒートポンプにより、前記貯湯タンクの湯水が滅菌される温度を想定して設定された滅菌温度以上となるように前記貯湯タンクの湯水の加熱を指示する第１の滅菌処理制御手段と、前記貯湯温度センサの検出温度が前記滅菌要否判定温度未満である状態が予め設定された滅菌要否判定時間以上継続し且つ前記外気温度センサの検出温度が、前記除霜処理制御手段による前記ヒートポンプの除霜運転が行われる外気温度を想定して設定された除霜処理判定温度以下であるとき、前記燃焼給湯器により加熱された暖房用水を暖房回路の前記加熱用水管に供給し、前記滅菌温度以上となるように前記貯湯タンクの湯水の加熱を指示する第２の滅菌処理制御手段とを備えることを特徴とする。
【００１１】
本発明によれば、第１の滅菌処理制御手段によって貯湯タンクの湯水の滅菌が行えるだけでなく、第１の滅菌処理制御手段による滅菌処理が行えない場合であっても、第２の滅菌処理制御手段によって貯湯タンクの湯水の滅菌が行えるので、貯湯タンクの湯水内での雑菌の繁殖を確実に防止することができ、貯湯タンクから清浄な湯を供給することができる。
【００１２】
即ち、前記除霜処理制御手段によりヒートポンプの除霜運転が行われているときには、ヒートポンプによる貯湯タンクの湯水の加熱を行うことができなくなるため、ヒートポンプを滅菌のために動作させることはできない。
【００１３】
そこで、本発明においては、貯湯温度センサの検出温度が前記滅菌要否判定温度未満である状態が滅菌要否判定時間以上継続したとき、第２の滅菌処理制御手段が、外気温度センサの検出温度からヒートポンプが除霜運転を行うか否かを判断する。次いで、第２の滅菌処理制御手段は、ヒートポンプが除霜運転を行うと想定した場合に、燃焼給湯器の暖房回路を作動させ、暖房回路に接続されている前記加熱用水管を介して貯湯タンクの湯水を前記滅菌温度以上に加熱する。こうすることにより、ヒートポンプが除霜運転中であっても貯湯タンクの湯水を滅菌することができる。
【００１４】
また、例えば、ヒートポンプの除霜運転が冷媒温度が極度に低いときに行われる場合、外気温度が低くても、冷媒温度が極度に低下していなければヒートポンプの除霜運転が行われない。一方、第２の滅菌処理制御手段は、外気温度センサの検出温度に基づいてヒートポンプの除霜運転の有無を判断している。これにより、外気温度が低いにもかかわらずヒートポンプが除霜運転を行っていない場合であっても、第２の滅菌処理制御手段は、貯湯タンクの湯水の温度が前記滅菌要否判定温度未満である状態が滅菌要否判定時間以上継続すれば、燃焼給湯器の暖房回路による貯湯タンクの湯水の加熱を指示する。
【００１５】
これによれば、ヒートポンプが除霜運転を行わずに第１の滅菌処理制御手段によってヒートポンプによる貯湯タンクの湯水の加熱が行われるとき、燃焼給湯器の暖房回路による加熱が同時に行われることになり、極めて迅速に貯湯タンクの湯水が前記滅菌温度以上に加熱され、貯湯タンクの湯水を速やかに滅菌することができて滅菌処理に要する時間を短縮することができる。
【図面の簡単な説明】
【００１６】
【図１】本発明の給湯システムの構成図。
【発明を実施するための形態】
【００１７】
本発明の実施の形態について、図１を参照して説明する。本実施形態の給湯システムは、ヒートポンプユニット１が接続されたタンクユニット２に、更に瞬間加熱式の燃焼給湯器３を接続することにより構成されている。
【００１８】
ヒートポンプユニット１は、圧縮機４、水熱交換器（凝縮器）５、膨張弁（減圧器）６、及び空気熱交換器（蒸発器）７を、冷媒循環路８により接続してなるヒートポンプ９を備えている。また、冷媒循環路８には、四方弁８ａと電磁弁８ｂとが設けられている。水熱交換器５は、後述する貯湯タンク１０の上部及び下部に接続されたタンク循環路１１と接続され、冷媒循環路８の冷媒とタンク循環路１１の湯水とを熱交換させることによって、タンク循環路１１の湯水を加熱する。
【００１９】
タンク循環路１１には、貯湯タンク１０に貯められた湯水をタンク循環路１１に循環させるための循環ポンプ１２と、水熱交換器５から貯湯タンク１０に向かう湯水の温度を検出するサーミスタ１３と、貯湯タンク１０から水熱交換器５に向かう湯水の温度を検出するサーミスタ１４とが設けられている。
【００２０】
また、ヒートポンプユニット１は、マイクロコンピュータ等により構成されたヒートポンプコントローラ１５を備え、ヒートポンプコントローラ１５から出力される制御信号によって、ヒートポンプ９及び循環ポンプ１２の作動が制御される。
【００２１】
ヒートポンプコントローラ１５は、後述するタンクコントローラ１６と通信可能に接続され、タンクコントローラ１６から加熱指示信号を受信したときに、タンク循環路１１に設けられているサーミスタ１３，１４の検出温度に基づいて、循環ポンプ１２とヒートポンプ９を作動させ、貯湯タンク１０の湯水を所定の沸き上げ設定温度（例えば６０℃）に沸き上げる。
【００２２】
また、ヒートポンプコントローラ１５は、ヒートポンプ９の空気熱交換器７に着霜して大気からの給熱が不十分となるのを防止するために除霜運転を行う除霜処理制御手段１７を機能的に備えている。除霜処理制御手段１７は、外気温度又は空気熱交換器７における冷媒温度が極度に低い場合に、四方弁８ａにより圧縮機４の出口を空気熱交換器７側に切換えて冷媒の流動方向を反転させ、圧縮機４による高温冷媒を空気熱交換器７へ送って除霜する。このとき更に、電磁弁８ｂを開弁して水熱交換器５へ向かう低温冷媒を少量とする。そして、ヒートポンプコントローラ１５は、除霜運転を行っているときには、タンクコントローラ１６から加熱指示信号を受信しても、貯湯タンク１０の湯水を加熱するための動作を行わない。
【００２３】
タンクユニット２は、湯水が充填された貯湯タンク１０と、マイクロコンピュータ等により構成されたタンクコントローラ１６とを備えている。貯湯タンク１０の上部には出湯管１８が接続されている。出湯管１８は、その始端が貯湯タンク１０に接続されて終端が図示しないカラン等の出湯栓に接続される。貯湯タンク１０の下部には給水管１９が接続されている。給水管１９は始端が水道に接続され、下流側が２つに分岐して一方の終端が貯湯タンク１０に接続されると共に、他方の終端が出湯管１８の途中に接続されている。
【００２４】
出湯管１８は給水管１９との接続箇所Ｘの下流からタンクユニット２の外部に延びて燃焼給湯器３の後述する給湯回路２０を経た後、再びタンクユニット２の内部に延びるが、その途中には出湯バイパス管２１が接続されている。出湯バイパス管２１にはバイパス弁２２が設けられており、バイパス弁２２が閉弁されているとき、貯湯タンク１０からの湯水は燃焼給湯器３の給湯回路２０を流れ、バイパス弁２２が開弁されているとき、貯湯タンク１０からの湯水は出湯バイパス管２１を介して出湯管１８の終端に向かう。
【００２５】
また、タンクユニット２は、出湯管１８と給水管１９との接続箇所Ｘの上流側に設けられた出湯サーミスタ２３と、給水管１９の通水流量を検出する水量センサ２４と、出湯管１８との接続箇所Ｘに向かって延びる給水管１９に設けられた入水サーミスタ２５と、貯湯タンク１０から出湯管１８に供給される湯水の流量を変更する湯量可変弁２６と、給水管１９から出湯管１８に供給される水の流量を変更する水量可変弁２７と、給水管１９に設けられた逆止弁付きの減圧弁２８と、出湯管１８と給水管１９との接続箇所Ｘと出湯バイパス管２１の上流端との間に設けられた混合サーミスタ２９と、出湯バイパス管２１の下流端と出湯管１８との接続箇所Ｙの下流側に供給される湯水の温度を検出する給湯出口サーミスタ３０とを備えている。
【００２６】
貯湯タンク１０の上部位置には、貯湯タンク１０に貯められた湯水の温度を検出する貯湯サーミスタ３１（本発明の貯湯温度センサに相当する）が設けられている。更に、貯湯タンク１０の内部には、後述する暖房回路３２に接続されて、暖房回路３２の暖房用水との熱交換により貯湯タンク１０の湯水を加熱する加熱用水管３３が設けられている。
【００２７】
タンクコントローラ１６は、貯湯サーミスタ３１、出湯サーミスタ２３、入水サーミスタ２５、混合サーミスタ２９、給湯出口サーミスタ３０、及びタンク循環路１１のサーミスタ１４により検出された温度と、水量センサ２４により検出された給水管１９の通水流量とに基づいて、湯量可変弁２６、水量可変弁２７、及びバイパス弁２２の作動が制御される。
【００２８】
そして、タンクコントローラ１６は、貯湯サーミスタ３１の検出温度を監視し、時間帯に応じて、ヒートポンプコントローラ１５に対して加熱指示信号を送信する。
【００２９】
また、タンクコントローラ１６は、貯湯タンク１０の湯中の雑菌（レジオネラ菌等）を滅菌するための処理を行う第１の滅菌処理制御手段３４と第２の滅菌処理制御手段３５とを機能的に備えている。
【００３０】
また、タンクコントローラ１６には、使用者の操作に応じて、希望する給湯温度（出湯管１８の出口から供給される湯の温度）を設定するための温度スイッチ等の複数の操作スイッチ（図示しない）を備えたリモコン３６が接続されている。
【００３１】
更に、タンクコントローラ１６は、屋外に設置された外部サーミスタ３７（本発明の外気温度センサに相当する）により外気温度が監視できるようになっている。
【００３２】
ここで、貯湯タンク１０内部に充填された湯水の状態を説明すれば、出湯管１８は貯湯タンク１０の上部に接続され、給水管１９は貯湯タンク１０の下部に接続されているため、貯湯タンク１０の湯水が給湯使用されると、出湯管１８から湯が導出されて貯湯タンク１０の湯が減少したぶん、貯湯タンク１０の下部の給水管１９から水が供給される。それに応じて、貯湯タンク１０内では、上部に高温の湯の層ができると共に下部に水の層ができる。
【００３３】
そして、貯湯タンク１０の上部の湯の層が減少して、水の層が貯湯タンク１０の上部に来ると、貯湯サーミスタ３１の検出温度がリモコン３６により設定された目標給湯温度（リモコン３６により設定された給湯設定温度）以下となり、こうなった場合に湯切れ状態となる。貯湯タンク１０が湯切れ状態であるか否かの判断は、貯湯サーミスタ３１の検出温度が目標給湯温度付近に設定された湯切れ判定温度以下であるときに、貯湯タンク１０が湯切れ状態であると判断すればよい。
【００３４】
タンクコントローラ１６は、貯湯サーミスタ３１の検出温度が目標給湯温度よりも高いとき（湯切れが生じていない状態）に、水量センサ２４により所定の下限流量以上の通水が検出されると、バイパス弁２２を開弁し、混合サーミスタ２９又は給湯出口サーミスタ３０の検出温度が目標温度となるように、湯量可変弁２６と水量可変弁２７の開度を調節して湯と水とを混合する混合温調制御を実行する。
【００３５】
一方、貯湯サーミスタ３１の検出温度が目標給湯温度以下であるとき（湯切れが生じている状態）に、水量センサ２４により下限水量以上の通水が検出されると、タンクコントローラ１６は、バイパス弁２２を閉弁する。これにより、貯湯タンク１０の湯水は燃焼給湯器３の給湯回路２０を流れ、燃焼給湯器３によって加熱される。
【００３６】
燃焼給湯器３は、瞬間加熱式として周知の構成のものを採用することができる。本実施形態で採用した燃焼給湯器３は、出湯管１８に接続された給湯回路２０と、貯湯タンク１０の内部の加熱用水管３３に接続された暖房回路３２とを備えている。なお、本実施形態においては、暖房回路３２に暖房端末を接続せずに、貯湯タンク１０の内部の加熱用水管３３を接続しているが、暖房回路３２を複数分岐させる構成を備えていれば、加熱用水管３３と暖房端末とを並列に接続することにより温水暖房を行うことができる。
【００３７】
また、給湯回路２０と暖房回路３２とは夫々独立して設けられており、図示しないが、夫々にガスバーナと熱交換器とを備えている。そして、タンクユニット２のバイパス弁２２が閉弁している場合には、貯湯タンク１０の湯水が給湯回路２０を流れて加熱される。
【００３８】
暖房回路３２の内部には暖房用水が充填されている。この暖房用水は、燃焼給湯器３の内部に設けられた暖房循環ポンプ（図示せず）により暖房回路３２を循環される。即ち、燃焼給湯器３で加熱された高温の暖房用水が、暖房往き管３８を通って貯湯タンク１０の内部の加熱用水管３３に送り込まれ、加熱用水管３３によって貯湯タンク１０の湯水を加熱（液液熱交換）した後に、暖房戻り管３９を通って燃焼給湯器３に戻る。
【００３９】
また、燃焼給湯器３は、マイクロコンピュータ等により構成された給湯コントローラ４０を備えており、給湯コントローラ４０によって給湯回路２０における給湯用水（貯湯タンク１０からの湯水）が目標給湯温度となるように給湯温調制御が行われると共に、暖房回路３２における暖房用水が目標加熱温度となるように暖房温調制御が行われる。
【００４０】
更に、給湯コントローラ４０は、タンクコントローラ１６と通信可能に接続され、タンクコントローラ１６によって給湯回路２０における給湯用水の加熱許可又は加熱禁止が指示されるようになっている。
【００４１】
次に、本発明の要旨に係る前記第１の滅菌処理制御手段３４及び前記第２の滅菌処理制御手段３５の作動について説明する。
【００４２】
第１の滅菌処理制御手段３４は、貯湯サーミスタ３１の検出温度が５３℃（滅菌要否判定温度）未満となっている状態が９６時間（滅菌要否判定時間）以上継続したときに、ヒートポンプコントローラ１５に対して滅菌加熱を指示する信号を送信する。この信号を受信したヒートポンプコントローラ１５は、除霜運転中でなければ、ヒートポンプ９による貯湯タンク１０の湯水の加熱を開始する。
【００４３】
そして、第１の滅菌処理制御手段３４は、貯湯サーミスタ３１の検出温度が５８℃（滅菌温度）以上に加熱した状態を１時間（滅菌時間）維持した後、ヒートポンプコントローラ１５に滅菌加熱の停止を指示する信号を送信し、ヒートポンプ９による滅菌処理を終了させる。
【００４４】
ここで、貯湯サーミスタ３１の検出温度が５３℃未満の状態が９６時間以上継続したときという条件は、貯湯タンク１０内に低温の湯水が長時間貯まっていたために、貯湯タンク１０の湯水中に雑菌が繁殖するおそれがあると想定される条件である。
【００４５】
また、貯湯サーミスタ３１の検出温度が５８℃以上である状態を１時間以上維持する、という条件は、貯湯タンク１０の湯中の雑菌が加熱により死滅すると想定される条件である。
【００４６】
なお、滅菌要否判定温度、滅菌要否判定時間、滅菌温度及び滅菌時間は、上記した具体的な数値に限られるものではなく、貯湯タンク１０の湯水の使用状況等に応じて適宜選択し設定されるものである。
【００４７】
以上のように第１の滅菌処理制御手段３４による滅菌処理が行われることにより、貯湯タンク１０の湯水の滅菌が効率良く行え、貯湯タンク１０から清浄な湯を供給することが可能となる。
【００４８】
第２の滅菌処理制御手段３５は、第１の滅菌処理制御手段３４と異なり、ヒートポンプ９が除霜運転を行っていると想定される場合にのみ滅菌処理を実行するものである。即ち、第２の滅菌処理制御手段３５は、貯湯サーミスタ３１の検出温度が前記滅菌要否判定温度未満の状態が前記滅菌要否判定時間以上継続し且つ外気サーミスタ３７の検出温度が５℃（除霜処理判定温度）以下であるとき、給湯コントローラ４０に対して滅菌加熱を指示する信号を送信する。この信号を受信した給湯コントローラ４０は、暖房回路３２における暖房用水を約８０℃に加熱して加熱用水管３３との間での循環を開始する。これにより、加熱用水管３３内の高温の暖房用水により貯湯タンク１０の湯水が加熱される。
【００４９】
ここで、外気サーミスタ３７の検出温度が５℃（除霜処理判定温度）以下であるとき、という条件は、外気温度が極度に低いためにヒートポンプ９の空気熱交換器７に着霜する可能性があるためヒートポンプ９が除霜運転を行っていると想定される条件である。なお、除霜処理判定温度は、霜の発生温度に基づいて適宜設定されるものであり、通常は５℃〜−５℃の間の何れかの温度が選択される。
【００５０】
そして、第２の滅菌処理制御手段３５は、貯湯サーミスタ３１の検出温度が前記滅菌温度以上に加熱した状態を前記滅菌時間維持した後、給湯コントローラ４０に滅菌加熱の停止を指示する信号を送信し、燃焼給湯器３による滅菌処理を終了させる。
【００５１】
こうすることにより、ヒートポンプ９が除霜運転を行っているために滅菌処理が実行できない場合であっても、貯湯タンク１０の湯水の滅菌が行われるので、貯湯タンク１０から清浄な湯を供給することが可能となる。
【００５２】
なお、第２の滅菌処理制御手段３５における滅菌要否判定温度、滅菌要否判定時間、滅菌温度、及び滅菌時間は、第１の滅菌処理制御手段３４と同一のものが用いられる。
【００５３】
また、第２の滅菌処理制御手段３５は、外気サーミスタ３７の検出温度に基づいて、滅菌処理を開始するので、第１の滅菌処理制御手段３４がヒートポンプ９による滅菌処理を行っている場合（即ち、ヒートポンプが除霜運転を行っていない場合）であっても、同時に燃焼給湯器３による滅菌処理を実行する。これにより、燃焼給湯器３の暖房回路３２とヒートポンプ９との両方によって、極めて迅速に貯湯タンク１０の湯水を滅菌することができ、滅菌処理に要する時間を短縮することができる。
【００５４】
更に、本実施形態のように、燃焼給湯器３に備えられた既存の暖房回路３２を利用して貯湯タンク１０の湯水の滅菌を行うことができるので、比較的安価に構成することができる。
【００５５】
なお、本実施形態では、燃焼給湯器３をバイパスする出湯バイパス管２１と出湯バイパス管２１を開閉するバイパス弁２２を備えた給湯システムを示したが、出湯バイパス管２１及びバイパス弁２２を備えていない給湯システムに対しても、本発明を適用してその効果を得ることができる。
【００５６】
また、本実施形態では、タンクユニット２に外気サーミスタ３７を設けると共に、タンクコントローラ１６が第２の滅菌処理制御手段３５を備えて、タンクコントローラ１６から給湯コントローラ４０に対して滅菌加熱の開始及び停止を指示するようにした構成を示したが、この構成以外に、給湯コントローラ４０がタンクコントローラ１６との通信により貯湯サーミスタ３１の検出温度を採取するように構成すれば、燃焼給湯器３に外気サーミスタ３７を設け、給湯コントローラ４０に第２の滅菌処理制御手段３５を設けることも可能であり、この場合にも、本発明の効果を得ることができる。
【符号の説明】
【００５７】
３…燃焼給湯器、９…ヒートポンプ、１０…貯湯タンク、１１…タンク循環路、１７…除霜処理制御手段、１８…出湯管、１９…給水管、２０…給湯回路、３１…貯湯サーミスタ（貯湯温度センサ）、３２…暖房回路、３３…加熱用水管、３４…第１の滅菌処理制御手段、３５…第２の滅菌処理制御手段、３７…外気サーミスタ（外気温度センサ）。
【図１】
2011208839.tif 000003